(57)【要約】【課題】冷却アクセサリ非装着時における自然放熱と、冷却アクセサリ装着時におけるアクセサリへ熱の受け渡しを、両立する仕組みを備えた撮像装置を提供する。【解決手段】外観の一面にアクセサリ装着面を有する第１の筺体内に、熱源となる素子と、ペルチェ素子と、前記熱源となる素子と前記ペルチェ素子に挟まれ、前記アクセサリ装着面と接続された放熱板と、を有し、前記放熱板に、前記ペルチェ素子の吸熱面が当節し、前記アクセサリ装着面には、前記アクセサリ装着面の法線方向から見た投影上、前記ペルチェ素子の少なくとも一部が重なる開口を有し、前記アクセサリ装着面に装着可能で、冷却手段を有する第２の筺体によって、前記ペルチェ素子の発熱面の冷却を行うことが可能である。【選択図】図９
2019114893.tif 000002
【特許請求の範囲】
【請求項１】
外観の一面にアクセサリ装着面を有する第１の筺体内に、
熱源となる素子と、
ペルチェ素子と、
前記熱源となる素子と前記ペルチェ素子に挟まれ、前記アクセサリ装着面と接続された放熱板と、
を有し、
前記放熱板に、前記ペルチェ素子の吸熱面が当節し、
前記アクセサリ装着面には、前記アクセサリ装着面の法線方向から見た投影上、前記ペルチェ素子の少なくとも一部が重なる開口を有し、
前記アクセサリ装着面に装着可能で、冷却手段を有する第２の筺体によって、
前記ペルチェ素子の発熱面の冷却を行うことが可能であることを特徴とする撮像装置。
【請求項２】
前記冷却手段を有する第２の筺体の装着を検出可能で、
前記第２の筺体の装着に応じて、前記ペルチェ素子を駆動することを特徴とする請求項１に記載の撮像装置。
【発明の詳細な説明】
【技術分野】
【０００１】
本発明は、冷却機構を有するアクセサリを装着可能とした撮像装置に関するものである。
【背景技術】
【０００２】
デジタルビデオカメラやデジタルスチルカメラ等の撮像装置は、高画質化に伴い、撮像素子の消費電力が大きくなり、発熱量も増大している。一方、デジタルビデオカメラやデジタルスチルカメラ等の撮像装置では、近年の小型化の要請により、撮像素子が実装された回路基板や、制御信号や画像信号を処理する電子部品が実装されたメイン回路基板の配置スペースが小さくなっている。そのため、これらの基板の密集状態も高まっている。
【０００３】
デジタルビデオカメラやデジタルスチルカメラ等の撮像装置に用いられている撮像素子は、一般的に高温になるほど性能が低下するため、撮像素子で発生した熱を放散する必要がある。また、メイン回路基板に実装された電子部品で発生した熱が撮像素子に伝わることによる、撮像素子温度の上昇を抑制する必要がある。また、高温環境における運用時、メイン回路基板に実装された電子部品で発生した熱により、メイン回路基板の素子保障温度を超えてしまうことで熱暴走を起こす問題や、外装の温度が高温となり撮影者に不快感を与えるといった問題がある。
【０００４】
そこで、冷却部を有するアクセサリを装着することで、撮像装置を冷却する構成が提案されている（特許文献１）。
【先行技術文献】
【特許文献】
【０００５】
【特許文献１】特開２００６−３３０３１号公報
【発明の概要】
【発明が解決しようとする課題】
【０００６】
冷却アクセサリの装着によって、撮像装置を効果的に冷却する為には、撮像装置から冷却アクセサリへ多くの熱を受け渡す必要がある。そのためには、撮像装置と冷却アクセサリの境界である、撮像装置の冷却アクセサリ取り付け面に、内部の熱を極力多く伝える必要がある。特許文献１に記載の機器は、発熱源である撮像センサの放熱板を外観に露出するように設け、露出した放熱板を、直接冷却アクセサリの装着面としている。
【０００７】
ところが、上記特許文献１の構成では、放熱板が外観に露出する。そのため、特許文献１の構成は、冷却アクセサリ非装着状態において、撮影者に不快感を与える懸念がある。      
【０００８】
また、冷却アクセサリ非装着状態を優先し、撮像装置の冷却アクセサリ取り付け面の温度を下げるためには、撮像装置内部の熱を、出来るだけ広く外観に放散させる必要がある。外観に熱を放散させた結果、外観の一部である冷却アクセサリ装着面の温度も低くなる。これにより、冷却アクセサリ装着状態において、内部の熱を十分に冷却アクセサリに受け渡すことが出来ず、冷却アクセサリを使用しても、撮像装置を効果的に冷却することが出来ない。
【０００９】
このように、冷却アクセサリの装着で撮像装置を効果的に冷却する構成では、冷却アクセサリ装着状態と、冷却アクセサリ非装着状態で異なる要件を満たす必要がある。すなわち、冷却アクセサリ非装着時は熱の放散を効果的に行い、冷却アクセサリ装着時は熱を放散させず、熱密度の高い状態で冷却アクセサリに熱を受け渡す仕組みが必要となる。
【００１０】
そこで、本発明の目的は、冷却アクセサリ非装着時における自然放熱と、冷却アクセサリ装着時におけるアクセサリへ熱の受け渡しを、両立する仕組みを備えた撮像装置を提供することである。
【課題を解決するための手段】
【００１１】
上記目的を達成するため、本発明に係る撮像装置は、外観の一面にアクセサリ装着面を有する第１の筺体内に、熱源となる素子と、ペルチェ素子と、前記熱源となる素子と前記ペルチェ素子に挟まれ、前記アクセサリ装着面と接続された放熱板と、を有し、前記放熱板に、前記ペルチェ素子の吸熱面が当節し、前記アクセサリ装着面には、前記アクセサリ装着面の法線方向から見た投影上、前記ペルチェ素子の少なくとも一部が重なる開口を有し、前記アクセサリ装着面に装着可能で、冷却手段を有する第２の筺体によって、前記ペルチェ素子の発熱面の冷却を行うことが可能であることを特徴とする。
【発明の効果】
【００１２】
本発明によれば、冷却アクセサリ非装着時における自然放熱と、冷却アクセサリ装着時におけるアクセサリへ熱の受け渡しを、両立する仕組みを備えた撮像装置を提供することができる。
【図面の簡単な説明】
【００１３】
【図１】本発明の実施形態に係る本体の外観斜視図
【図２】本発明の実施形態に係るアクセサリの装着方法を表す斜視図
【図３】本発明の実施形態に係るアクセサリを装着した状態を表す斜視図
【図４】本発明の実施形態に係るアクセサリを装着した状態を表す側面図
【図５】本発明の実施形態に係る内部構造を表す断面図
【図６】本発明の実施形態に係る内部構造を表す分解斜視図
【図７】本発明の実施形態に係るアクセサリの構造を表す斜視図
【図８】本発明の実施形態に係る本体の動作を表すフローチャート
【図９】本発明の実施形態に係る本体の動作を表す模式図
【発明を実施するための形態】
【００１４】
以下、本発明の好ましい実施形態について、図面を参照しながら詳細に説明する。尚、本実施形態での説明において、レンズ（前玉）側から見た面を前面且つ前方、前面と対向する面を背面、且つ後方、前面から見て右側の面を右側面、前面から見て左側の面を左側面、前面から見て上側の面を上面、前面から見て下側の面を底面、と各々称する。
【００１５】
図１は撮像装置本体１０１の外観斜視図であり、特に図１（ａ）は主に前面構成を表す斜視図であり、図１（ｂ）は撮像装置本体１０１の主に背面構成を表す斜視図である。まず、本図を用いて外観各要素の機能を説明する。
【００１６】
図１（ａ）に示す撮像装置本体１０１の正面側には、レンズ１０２が配置されている。レンズ１０２には、撮影者が回動することで撮影画像の光学的な拡大縮小を行うズームリング１０３と、撮影者が回動することで、撮影画像の合焦位置が変動するフォーカスリング１０４が設けられている。
【００１７】
撮像装置本体１０１は、撮影画像の確認を行うモニタは搭載していない。撮像装置本体１０１は、外部モニタ出力端子１０５に接続される不図示のワイヤを介し、外部モニタに撮影画像を出力することで撮影画像の確認を行う構成となっている。撮像装置本体１０１右側面には、機器の電源をＯＮ/ＯＦＦする為の電源ダイヤル１０６が設けられている。また、撮像装置本体１０１の前面には、記録の開始/停止を制御する、記録開始制御ボタン１０７が設けられている。
【００１８】
図１（ｂ）に示す撮像装置本体１０１の後方側には、機器に電源を供給する電源端子２０１や、不図示のマイクによる音声を機器に入力する音声マイク入力端子２０２ａ，ｂ、音声確認用のヘッドフォン端子２０３、外部記録装置に映像を出力する外部記録装置接続端子２０５が設けられている。また、ネットワークとの接続端子２０６に加え、ＰＣとの接続用のＵＳＢ端子２０７が設けられており、多様な用途の運用が可能となっている。
【００１９】
撮像装置本体１０１は、背面のアクセサリ装着部２１０にアクセサリを装着し、アクセサリと撮像装置本体１０１を連携させることが可能となっている。そのため、撮像装置本体１０１背面の大部分は、後述する冷却ユニットや、不図示の大型バッテリ、不図示の大型外部記録装置等のアクセサリを機器の背面に装着する為の、アクセサリ装着部２１０となっている。
【００２０】
アクセサリ装着部２１０は、熱伝導率の高いアルミ合金等で形成されている。また、アクセサリ装着部２１０は、汎用的なアクセサリの取りつけを容易にするため平面で形成され、４隅に取りつけメネジ２１３ａ〜ｄが設けられている。アクセサリ装着部２１０には、アクセサリとの信号通信と、アクセサリとの電源分配を行うアクセサリ接続端子２１２が、４隅に設けた取りつけメネジ２１３ａ〜ｄで囲われた内側の領域に設けられている。
【００２１】
アクセサリ装着部２１０の中央には、開口率の高いパンチ材にて形成されたメッシュ２２０が、アクセサリ装着部２１０の開口２１５を覆うように設けられている。また、アクセサリ装着部２１０の外側の領域には、撮影された映像を記録する為に用いる、着脱式記録媒体２１４の挿入口が設けられている。
【００２２】
図２は、撮像装置本体１０１に、アクセサリとして冷却ユニット３０１を装着するときの状態を表した斜視図であり、図３は、撮像装置本体１０１に、冷却ユニット３０１を装着した状態を表す斜視図である。
【００２３】
図２に示すように、撮像装置本体１０１に装着される冷却ユニット３０１にも、撮像装置本体１０１と同一形状で、信号通信と電源分配を行える端子３１０が設けられている。また、冷却ユニット３０１の撮像装置本体１０１と接する面には、本体のアクセサリ接続端子２１２と接続されるアクセサリ端子３０５が設けられている。端子３１０と、アクセサリ端子３０５は、冷却ユニット３０１内部で接続されており、分岐して冷却ユニット３０１に内蔵されている空冷ファン８００とも接続されている。
【００２４】
冷却ユニット３０１は、ユニットの４隅に設けた貫通穴である取りつけ部３１５ａ〜ｄを挟み、アクセサリ取りつけネジ３２０ａ〜ｄを本体側の取りつけメネジ２１３ａ〜ｄにそれぞれ締結することによって取り付けられる。
【００２５】
図４は、撮像装置本体１０１にアクセサリを装着した状態を表す側面図である。図４（ａ）は、撮像装置本体１０１に、アクセサリとして冷却ユニット３０１を装着した状態を表す図である。図４（ｂ）は、撮像装置本体１０１にバッテリユニット３０２を装着した状態を表す図であり、図４（ｃ）は、撮像装置本体１０１に、冷却ユニット３０１を挟んで、バッテリユニット３０２を装着した状態を表す図である。
【００２６】
本実施形態の撮像装置本体１０１は、光軸上で複数のアクセサリを連結しても、撮像装置本体１０１と複数のアクセサリの電気的な連結が出来るようになっている。図４（ａ）に示すように、アクセサリ装着部２１０に、冷却ユニット３０１が装着されると、図２に示す本体側のアクセサリ接続端子２１２と、冷却ユニット３０１の端子３１０が接続され、撮像装置本体１０１に、冷却ユニット３０１が装着されていることが識別される。その後、撮像装置本体１０１から、冷却ユニット３０１への電力供給や、冷却ユニット３０１内部に設けたファンの回転制御信号をやり取りすることで、冷却ユニット３０１を駆動することが出来る。
【００２７】
図４（ｂ）に示すように、バッテリユニット３０２が装着された場合においては、同様にバッテリユニット３０２が装着されていることが識別される。バッテリユニット３０２は、バッテリ３０２０と、バッテリ３０２０の固定プレート３０２１にて構成されるアクセサリである。バッテリユニット３０２の装着方法は、冷却ユニット３０１の装着方法と同様に行われる。すなわち、図２に示すようなアクセサリ取りつけネジ３２０ａ〜ｄを用い、固定プレート３０２１を貫通し本体側の取りつけメネジ２１３ａ〜ｄにそれぞれ締結することによる。
【００２８】
固定プレート３０２１には、バッテリユニット３０２と係合する不図示のレールが配設されており、固定プレート３０２１に対し、バッテリ３０２０を上方から滑り込ませることで、不図示の抜け止めがなされる。不図示の抜け止めは、ユーザー操作により容易に解除出来るので、撮像装置本体１０１に固定プレート３０２１を残し、バッテリ３０２０のみを容易に交換する事が出来る。
【００２９】
撮像装置本体１０１へバッテリユニット３０２の装着が識別されると、バッテリユニット３０２から、アクセサリ接続端子２１２を介し、本体へ電力供給が行われる。バッテリユニット３０２を用いることで、図１で示した電源端子２０１に、不図示の電源ケーブルを接続することなく、コンセントなどが無い外部の環境で撮像装置本体１０１の運用が可能となる。
【００３０】
また、本実施形態の撮像装置本体１０１は、図４ｃに示すように、背面に冷却ユニット３０１を装着し、さらにバッテリユニット３０２を装着することも可能である。すなわち、撮像装置本体１０１は、本体背面に冷却ユニット３０１が装着され、さらにその後方にバッテリユニット３０２が装着されていることの識別も可能となっており、アクセサリ接続端子２１２を介し、冷却ユニット３０１の駆動と、バッテリユニット３０２からの電力供給を同時に行うことが可能となっている。
【００３１】
図５は、本発明の実施形態にかかる撮像装置の内部構造を示す部分断面図である。レンズ１０２より後方を、断面で表している。本実施形態の撮像装置本体１０１は、レンズ１０２後方のピント面に、撮像素子５０１が配置されている。撮像素子５０１は受光面に結像された被写体像を、電子データに変換するものである。撮像素子５０１の被写体結像面には、不図示のＲ色、Ｇ色、Ｂ色の色のみをそれぞれ透過する色フィルタが設けられており、撮像素子５０１に入射した光を、Ｒ色、Ｇ色、Ｂ色の電子データに変換することが出来る。
【００３２】
撮像素子５０１は、センサ基板３０３に実装されており、不図示の接続ワイヤを介して、メイン基板５０と電気的に接続されている。これにより、撮像素子５０１から出力された電子データを、メイン基板５０に送信することが可能となっている。メイン基板５０の背面側には、制御ＩＣ５０２が実装されている。制御ＩＣ５０２には、ＣＰＵ（Ｃｅｎｔｒａｌ  Ｐｒｏｃｅｓｓｉｎｇ  Ｕｎｉｔ）とプログラムメモリが一体となってパッケージされている。
【００３３】
また、メイン基板５０には、ワークメモリ５０３が実装されている。制御ＩＣ５０２には、撮像装置本体１０１とアクセサリの制御に必要な各種データが格納されている。ワークメモリ５０３は、制御ＩＣ５０２による各種演算処理を行う際に、作業エリアとして利用される揮発性メモリである。
【００３４】
制御ＩＣ５０２は、所定の制御プログラムをワークメモリ５０３にロードして、演算を実行することにより、自動露出演算、自動焦点調節演算、ホワイトバランス調整演算などの各種演算処理を行うことが出来る。これにより、撮像素子５０１受光面に結像された電子データから被写体映像を生成し、生成された被写体映像を機器底面側に配置された記録媒体２１４に送り、記録することが出来る。このような電気的な処理を行う際、制御ＩＣ５０２は多くの電力を消費するため、同時に大きな発熱を伴う。
【００３５】
制御ＩＣ５０２の放熱を目的とし、図５に示すように、本実施形態では制御ＩＣ５０２後方に、熱伝導率の高い銅板にて形成された放熱板６０と、ペルチェ素子６５０、さらにその後方に放熱フィン６０７を、全て撮像装置本体１０１内部に配置している。
【００３６】
図６は、本発明の実施形態にかかる撮像装置の内部構造を示す分解斜視図である。図６は、撮像装置の放熱に関わる、特に撮像装置本体１０１の後方部分の内部構造を示すものである。
【００３７】
制御ＩＣ５０２が実装されているメイン基板５０は、熱伝導率の低い樹脂で形成された外装部材６００に取りつけられる。メイン基板５０の後方に配置される放熱板６０も、外装部材６００に取りつけられ、放熱板６０の主の平面６０１は、メイン基板５０の制御ＩＣ５０２と、制御ＩＣ５０２上面に貼られている放熱ゴム６０４を介し、密着している。      
【００３８】
放熱板６０は、主の平面６０１から後方のアクセサリ装着部２１０に向かって延出した折り曲げ部６０２、６０３を持つ階段形状となっている。また、上下の放熱板の端部６０５、６０６は、外装部材６００の穴６０８ａｂを貫通し、機器最後方に配置されているアクセサリ装着部２１０に対し、前方からのビス（不図示）にて締結される。
【００３９】
アクセサリ装着部２１０は、外装部材６００に取り付けられている。また、アクセサリ装着部２１０は、熱伝導率が高くアルマイト処理を施すことで意匠性が高められたアルミニウム合金等で形成された板状の部材である。放熱板６０との接続部は、アルマイトが剥離され、放熱板６０との熱伝達だけではなく、電気的導通も確保されている。アクセサリ装着部２１０は、中央に開口２１５を設けており、底面側にアクセサリ接続端子２１２が挿入される貫通穴を有する。
【００４０】
アクセサリ接続端子２１２は、アクセサリ装着部２１０と、外装部材６００を貫通し、メイン基板５０と電気的な接続がなされている。また、アクセサリ装着部２１０の中央の開口２１５を覆うように、メッシュ２２０が配置されている。メッシュ２２０は、ステンレス等滅伝導率が比較的低い材質で形成されており、外装部材６００に対し、後方から不図示のビスにて締結されている。メッシュ２２０は、アクセサリ装着部２１０と直接接触せず、僅かな空間を設けて配設されている。
【００４１】
また、メッシュ２２０とアクセサリ装着部２１０で構成される撮像装置本体１０１背面は平面となっているため、図４に示すように、撮像装置本体１０１へ装着するアクセサリも平面とすることが出来る。
【００４２】
放熱板６０の主の平面６０１後方は、放熱ゴム６１２を介し、ペルチェ素子６５０が密着配置されている。ペルチェ素子６５０は、撮像装置本体１０１内部のメイン基板５０と不図示のワイヤで、電気的に接続されており、メイン基板５０からペルチェ素子６５０に電力印加出来るようになっている。ペルチェ素子６５０は、電力印加により、一方の面で吸熱し、引き換えに裏面が発熱する素子である。
【００４３】
本実施形態のペルチェ素子６５０は、吸熱面が放熱ゴム６１２を介し放熱板６０の主の平面６０１と密着しており、発熱面は放熱ゴム６１３を介し放熱フィン６０７と密着している。また、ペルチェ素子６５０の吸熱面、発熱面以外の外周には、断熱材６１４が配置され、断熱材６１４は、熱伝導率の低い材質で形成されている外装部材６００に設けられた、保持枠６００１で押さえられている。これにより、ペルチェ素子６５０の吸熱面、発熱面を熱的に分断し、温度勾配を大きく取れるよう構成されている。
【００４４】
図７は、冷却ユニット３０１の構造を示す斜視図である。特に、図７ａは冷却ユニット３０１の撮像装置本体１０１接続面側を表す図であり、図７ｂは冷却ユニット３０１を機器に装着した時に背面となる面を表す図である。
【００４５】
冷却ユニット３０１は、空冷ファン８００を搭載しており、アクセサリ端子３０５を介し、撮像装置本体１０１から供給される電力と、制御信号によって、空冷ファン８００を動作させる本体用アクセサリの一つである。空冷ファン８００は、軸流式のファンであり、本実施形態の冷却ユニット３０１では、空冷ファンの排気側が、冷却ユニット３０１から露出している。また、冷却ユニット３０１上部には、空冷ファン８００へと繋がる流路の入り口を成す、吸気口８０３が設けてあり、両側面に本体装着時に流路の一部を成す凹部８０４ａｂが配設されている。
【００４６】
次に、本実施形態の撮像装置の動作を説明する。図８は、撮像装置本体１０１の動作を表すフローチャートである。まず、撮像装置本体１０１は、アクセサリが取りついているかを検出する（Ｓ１０３）。撮像装置本体１０１にアクセサリが装着されていない場合、撮像装置本体１０１に内蔵されたペルチェ素子６５０は駆動せずフローを終了する（Ｓ１１０）。
【００４７】
撮像装置本体１０１にアクセサリが装着されており、撮像装置本体１０１内部の制御ＩＣ５０２にて、冷却ユニット３０１が装着されていることが検出されると（Ｓ１０５）、撮像装置本体１０１からアクセサリ接続端子２１２を介し、冷却ユニット３０１へ電力供給が行われる（Ｓ１０６）。冷却ユニット３０１へ電力供給が行われることで、内蔵された空冷ファン８００が起動すると、空冷ファン８００の回転数がアクセサリ接続端子２１２を介して、撮像装置本体１０１の制御ＩＣ５０２に送られる。空冷ファン８００の回転が所定の回転数に達すると、空冷ファン８００が起動したと判断し（Ｓ１０７）、撮像装置本体１０１に内蔵されたペルチェ素子６５０に所定の電力を供給し（Ｓ１０８）、フローを終了する（Ｓ１１０）。
【００４８】
また、Ｓ１０５で、取りついているアクセサリが冷却ユニット３０１以外のアクセサリであることが検出されると、撮像装置本体１０１からアクセサリ接続端子２１２を介し、装着されたアクセサリに応じた制御信号や電力のやり取りを行う。例えば、取りついているアクセサリがバッテリユニット３０２の場合、アクセサリ接続端子２１２を介し、撮像装置本体１０１へ電力供給が行われる。この時、撮像装置本体１０１に内蔵されたペルチェ素子６５０は駆動しない。この場合、後述するように、制御ＩＣ５０２の十分な冷却が出来ないので、撮像装置本体１０１は、高温環境での運用時に連続撮影時間に制限を設けるなど、制限を設けた動作モードへと移行し（Ｓ１０９）、フローを終了する（Ｓ１１０）。
【００４９】
図９は、撮像装置本体１０１の熱の流れを表す模式図である。特に図９ｂは、撮像装置本体１０１に冷却ユニット３０１を装着している状態を表した模式図であり、図９ａは、アクセサリを装着しておらず、機器背面が外部に露出した状態を表している。
【００５０】
図９ａに示す機器背面が外部に露出した状態では、メイン基板５０に実装された制御ＩＣ５０２から発生した熱は、背面の放熱板６０に伝達される。放熱板６０に伝達された熱は、主の平面６０１から折り曲げ部６０２、６０３を介し、放熱板の端部６０５、６０６へと広がりながら熱伝導し、放熱板の端部６０５、６０６からアクセサリ装着部２１０へと伝達される。
【００５１】
アクセサリ装着部２１０は、熱伝導率が高い材料で形成されているので、アクセサリ装着部２１０でもさらに熱拡散され、最終的に外気へと放熱される。このように、制御ＩＣ５０２で発生した熱は、外観の広い面から外気へと放熱される。このため、アクセサリ装着部２１０は、平面上で比較的低く、なだらかな温度分布となり、ヒートスポット等でユーザーに不快感を与えることがない。また、制御ＩＣ５０２の冷却を十分に行うことが出来る。
【００５２】
図９ｂに示す撮像装置本体１０１に冷却ユニット３０１を装着している状態では、撮像装置本体１０１に内蔵されたペルチェ素子６５０に電力が印加される。ペルチェ素子６５０に電力が印加されると、ペルチェ素子６５０の前面の吸熱面は、温度が低下する。ペルチェ素子６５０の吸熱面は、放熱板６０の主の平面６０１と密着しているので、主の平面６０１の前面に配置されている制御ＩＣ５０２から発生した熱は、主の平面６０１を介し、ペルチェ素子６５０によって吸熱される。さらに、ペルチェ素子６５０の後方面である発熱面は、ペルチェ素子６５０の後方に設けた放熱フィン６０７と密着しているので、熱はペルチェ素子６５０発熱面から放熱フィン６０７へと伝達される。
【００５３】
図９ｂに示す状態では、撮像装置本体１０１に、冷却ユニット３０１が装着されている。ここで、冷却ユニット３０１による空気の流れを説明する。冷却ユニット３０１は、空冷ファン８００を内蔵しており、上面に設けられた吸気口８０３（図７に示す）から外部の空気を吸気する。冷却ユニット３０１に流入する冷えた空気は、点線矢印で示すように、撮像装置本体１０１のメッシュ２２０を抜け、メッシュ２２０前方に配置されている放熱フィン６０７に向けて吹きつけられる。
【００５４】
このように、冷却ユニット３０１により放熱フィン６０７の熱は、冷却ユニット３０１から流入する風に伝達する。暖められた風は、メッシュ２２０の開口を再び抜け、冷却ユニット３０１両側面に設けられた凹部８０４（図７に示す）から外気へ排気される。
これにより、図９ａに示す機器背面が外部に露出した状態と異なり、制御ＩＣ５０２で発生した熱は、放熱フィン６０７によって、冷却ユニット３０１から送られる風に伝達され、外気へと放熱される。
【００５５】
ここで、ペルチェ素子６５０による冷却能力は、自然冷却と比較し非常に高いので、放熱板６０を熱伝導し、固定先であるアクセサリ装着部２１０へ熱が伝わるより前に、熱は外気へと放熱される。そのため、アクセサリ装着部２１０への熱伝導は積極的に行われず、アクセサリ装着部２１０からの熱伝達が無くとも、制御ＩＣ５０２の冷却を十分に行うことが出来る。これにより、背面にアクセサリが装着されている場合でも、問題無く冷却を行うことが出来る。すなわち、冷却ユニット３０１装着時は、アクセサリ装着部２１０に熱を拡散させず、ペルチェ素子６５０と放熱フィン６０７により、アクセサリへ熱の受け渡しを効果的に行うことが出来る。
【００５６】
また、本実施形態の撮像装置本体１０１には、図４ｂに示すように、冷却ユニット３０１以外の別のアクセサリを背面に装着することも可能となっている。例えば、バッテリユニット３０２を直接背面に装着した場合、アクセサリ装着部２１０は、背面のバッテリユニット３０２によって覆われているので、外気への放熱が難しい。そのため、制御ＩＣ５０２の十分は放熱が行われず、制御ＩＣ５０２の温度が高くなる。
【００５７】
そこで、本実施形態の撮像装置本体１０１は、背面に冷却ユニット３０１以外の別のアクセサリが装着された際には、記録可能時間を短くするなどの制限が行われる。それを避けるため本実施形態の機器では、図４ｃに示すように、撮像装置本体１０１に冷却ユニット３０１を挟み、さらにその後方にバッテリユニット３０２等の、他の異なるアクセサリを装着することが可能となっている。これにより、前述した撮像装置本体１０１に冷却ユニット３０１を装着している状態同様の冷却がなされ、記録可能時間が短くなるなどの制限なく運用することが可能となる。
【００５８】
このように、冷却ユニット３０１の装着で撮像装置を効果的に冷却する為の構成では、冷却ユニット３０１装着状態と、冷却ユニット３０１非装着状態で異なる要件を満たすことが出来る。すなわち、冷却ユニット３０１非装着時は自然放熱を効果的に行い、冷却ユニット３０１装着時はアクセサリへ熱の受け渡しを効果的に行うことが出来る。
【００５９】
これにより、冷却ユニット３０１非装着時における自然放熱と、冷却ユニット３０１装着時におけるアクセサリへ熱の受け渡しを、冷却ユニット３０１の装着有無で、本体の排熱経路を切り替えることにより両立することが出来る。
【００６０】
このように、本実施形態によれば、冷却アクセサリの有無で排熱経路を変更することが出き、これにより、冷却アクセサリ非装着時は自然放熱を効果的に行い、冷却アクセサリ装着時はアクセサリへ熱の受け渡しを効果的に行うことが出来る。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６２】
１０１ ・・・・ 撮像装置本体
１０２ ・・・・ レンズ
２０１ ・・・・ 電源端子
２１０ ・・・・ アクセサリ装着部
２１２ ・・・・ アクセサリ接続端子
２１３ ・・・・ 取りつけメネジ
２１４ ・・・・ 記録媒体
２２０ ・・・・ メッシュ
３０１ ・・・・ 冷却ユニット
３０２ ・・・・ バッテリユニット
３０３ ・・・・ センサ基板
３０５ ・・・・ アクセサリ端子
５０ ・・・・ メイン基板
５０１ ・・・・ 撮像素子
５０２ ・・・・ 制御ＩＣ
６０ ・・・・ 放熱板
６００ ・・・・ 外装部材
６０１ ・・・・ 主の平面
６０３ ・・・・ 折り曲げ部
６０５、６０６ ・・・・ 放熱板の端部
６０７ ・・・・ 放熱フィン
６１４ ・・・・ 断熱材
６５０ ・・・・ ペルチェ素子
８００ ・・・・ 空冷ファン
８０３ ・・・・ 吸気口
【図１】
2019114893.tif 000003
【図２】
2019114893.tif 000004
【図３】
2019114893.tif 000005
【図４】
2019114893.tif 000006
【図５】
2019114893.tif 000007
【図６】
2019114893.tif 000008
【図７】
2019114893.tif 000009
【図８】
2019114893.tif 000010
【図９】
2019114893.tif 000011